(57)【特許請求の範囲】
【請求項１】
球が転動可能なプレイ面を有するプレイ台と、前記プレイ台を支持する支持部とを具えた遊技盤であって、
前記支持部は、前記プレイ台を三次元に傾斜させるプレイ台傾斜手段と、
前記プレイ台傾斜手段を介して、前記プレイ面と交わる垂直軸心回りで、前記プレイ台を回転させるプレイ台回転手段とを具えることを特徴とする遊技盤。
【請求項２】
前記プレイ台の外側で支持され、かつ、使用者が前記プレイ面に向かって前記球を打つための打撃面を有する打撃台をさらに具える請求項１記載の遊技盤。
【請求項３】
前記打撃台を、前記プレイ台に接近又は離間可能に支持する打撃台支持手段をさらに具える請求項２記載の遊技盤。
【請求項４】
前記支持部は、前記打撃台支持手段を介して、前記打撃台を前記プレイ台とは独立して回転させる打撃台回転手段を具える請求項３記載の遊技盤。
【請求項５】
前記プレイ台回転手段及び前記打撃台回転手段は、前記プレイ台及び前記打撃台を、同一の軸心回りで回転させる請求項４記載の遊技盤。
【請求項６】
前記打撃台支持手段は、前記打撃台を、前記プレイ台とは独立して傾斜させる打撃台傾斜手段を具える請求項３乃至５のいずれかに記載の遊技盤。
【請求項７】
前記打撃台支持手段は、前記打撃台を昇降させる昇降手段を具える請求項３乃至６のいずれかに記載の遊技盤。
【請求項８】
前記打撃台支持手段は、前記打撃面と交わる軸心回りで、前記打撃台を回動させる回動手段を具える請求項３乃至７のいずれかに記載の遊技盤。
【請求項９】
使用者が目視により確認することができる観察部と、
前記観察部を垂直に維持する垂直維持具とを具える請求項１乃至８のいずれかに記載の遊技盤。
【請求項１０】
前記プレイ台の外側で支持され、かつ、使用者が前記プレイ面に向かって前記球を打つための打撃台を具え、
前記観察部は、前記打撃台から前記プレイ台に向かってのびる延長線上に配置される請求項９記載の遊技盤。
【発明の詳細な説明】
【技術分野】
【０００１】
本発明は、球が転動可能なプレイ面を具えた遊技盤に関する。
【背景技術】
【０００２】
下記特許文献１には、球が転動可能なプレイ面を有する遊技盤が提案されている。この遊技盤では、プレイ面を三次元に傾斜させることができる。このような遊技盤のプレイ面は、例えば、ゴルフ場で遭遇するような傾斜面を再現することができる。
【先行技術文献】
【特許文献】
【０００３】
【特許文献１】特許第５３８５９６３号公報
【発明の概要】
【発明が解決しようとする課題】
【０００４】
上記のような遊技盤では、プレイ面を傾斜させて変化させることができたが、十分ではなく、プレイ面をさらに多様に変化させることができる遊技盤が求められていた。
【０００５】
本発明は、以上のような問題点に鑑み案出なされたもので、プレイ面を多様に変化させることができる遊技盤を提供することを主たる目的としている。
【課題を解決するための手段】
【０００６】
本発明は、球が転動可能なプレイ面を有するプレイ台と、前記プレイ台を支持する支持部とを具えた遊技盤であって、前記支持部は、前記プレイ台を三次元に傾斜させるプレイ台傾斜手段と、前記プレイ台傾斜手段を介して、前記プレイ面と交わる垂直軸心回りで、前記プレイ台を回転させるプレイ台回転手段とを具えることを特徴とする。
【０００７】
本発明に係る前記遊技盤において、前記プレイ台の外側で支持され、かつ、使用者が前記プレイ面に向かって前記球を打つための打撃面を有する打撃台をさらに具えるのが望ましい。
【０００８】
本発明に係る前記遊技盤において、前記打撃台を、前記プレイ台に接近又は離間可能に支持する打撃台支持手段をさらに具えるのが望ましい。
【０００９】
本発明に係る前記遊技盤において、前記支持部は、前記打撃台支持手段を介して、前記打撃台を前記プレイ台とは独立して回転させる打撃台回転手段を具えるのが望ましい。
【００１０】
本発明に係る前記遊技盤において、前記プレイ台回転手段及び前記打撃台回転手段は、前記プレイ台及び前記打撃台を、同一の軸心回りで回転させるのが望ましい。
【００１１】
本発明に係る前記遊技盤において、前記打撃台支持手段は、前記打撃台を、前記プレイ台とは独立して傾斜させる打撃台傾斜手段を具えるのが望ましい。
【００１２】
本発明に係る前記遊技盤において、前記打撃台支持手段は、前記打撃台を昇降させる昇降手段を具えるのが望ましい。
【００１３】
本発明に係る前記遊技盤において、前記打撃台支持手段は、前記打撃面と交わる軸心回りで、前記打撃台を回動させる回動手段を具えるのが望ましい。
【００１４】
本発明に係る前記遊技盤において、使用者が目視により確認することができる観察部と、前記観察部を垂直に維持する垂直維持具とを具えるのが望ましい。
【００１５】
本発明に係る前記遊技盤において、前記プレイ台の外側で支持され、かつ、使用者が前記プレイ面に向かって前記球を打つための打撃台を具え、前記観察部は、前記打撃台から前記プレイ台に向かってのびる延長線上に配置されるのが望ましい。
【発明の効果】
【００１６】
本発明の遊技盤は、球が転動可能なプレイ面を有するプレイ台と、プレイ台を支持する支持部とを具えている。支持部は、プレイ台を三次元に傾斜させるプレイ台傾斜手段を具えている。このような遊技盤は、ゴルフ場で遭遇するような傾斜面をプレイ面に再現することができる。
【００１７】
さらに、前記支持部は、プレイ面と交わる軸心回りで、プレイ台を回転させるプレイ台回転手段を具えている。このような遊技盤では、プレイ台を回転させることにより、傾斜したプレイ面の向きを容易に変更することができる。従って、本発明の遊技盤は、プレイ面をより多様に変化させることができるため、遊技盤を使用したゲームをより複雑化させることができる。
【図面の簡単な説明】
【００１８】
【図１】本発明の第１実施形態の遊技盤の斜視図である。
【図２】図１のプレイ台の分解斜視図である。
【図３】図１のＡ−Ａ断面図である。
【図４】本発明の第２実施形態の遊技盤の斜視図である。
【図５】図４の打撃台の付近の部分拡大図である。
【図６】図４のＣ−Ｃ断面の打撃台付近の部分拡大図である。
【図７】図４の支持部本体付近の一部が拡大された斜視図である。
【図８】図４のＣ−Ｃ断面の支持部本体付近の部分拡大図である。
【図９】（Ａ）は、打撃台付近の正面図であり、（Ｂ）は、打撃台付近の側面図である。
【図１０】本発明の第３実施形態の遊技盤の斜視図である。
【図１１】図９のＤ−Ｄ断面図である。
【発明を実施するための形態】
【００１９】
以下、本発明の実施の一形態が、図面に基づき説明される。
図１には、本発明の第１実施形態の遊技盤１の斜視図が示されている。図２には、図１の内側部５ｂが分解されたプレイ台２の分解斜視図が示されている。図３には、図１のＡ−Ａ断面図が示されている。図１に示されるように、遊技盤１は、球Ｂが転動可能なプレイ面２Ｓを有するプレイ台２と、このプレイ台２を支持する支持部３とを具えている。
【００２０】
本実施形態の遊技盤１は、支持部３が卓上に設置される。このような遊技盤１では、イス等に座った使用者が、例えば、ゴルフのクラブを模して形成されたスティックＲを用いて、球Ｂを打って遊ぶ（ゲームする）ことができる。ただし、球Ｂは、使用者の指で打たれてもよい。
【００２１】
本実施形態のスティックＲは、球Ｂを打つ打撃部Ｒａと、使用者が把持するための把持部Ｒｂとを含んで構成されている。打撃部Ｒａの打撃面Ｒｓには、打った球Ｂを上昇させるための角度が設定されてもよい。また、スティックＲには、球Ｂの打撃方向や打撃力を決定する際の目安となる照準器６が設けられてもよい。本実施形態の照準器６は、打撃部Ｒａに設けられる少なくとも一つの目盛り６ａと、把持部Ｒｂから上方にのびるポール６ｂ、６ｃとを含んで構成されている。このような照準器６は、目盛り６ａ、及び、ポール６ｂ、６ｃに、使用者が目線を合わせることにより、球Ｂの打撃方向や打撃力を決定する際の目安にすることができる。
【００２２】
図１又は図３に示されるように、本実施形態のプレイ台２は、支持部３に支持される基板４と、基板４の上面を被覆する被覆材５（図１に示す）とを含んでいる。本実施形態の遊技盤１では、被覆材５の上面に、プレイ面２Ｓが形成されている。
【００２３】
基板４は、例えば、略円盤状に形成されている。基板４には、例えば、基板４から立ち上がる外壁部４ａ及び内壁部４ｂが設けられている。
【００２４】
外壁部４ａは、基板４の外縁に沿って設けられ、例えば、平面視環状に形成されている。本実施形態の外壁部４ａの高さは、プレイ面２Ｓが形成される被覆材５の高さよりも大に設定されている。これにより、外壁部４ａは、プレイ台２から球Ｂが落下するのを抑制することができる。なお、外壁部４ａの高さは、周方向に沿って滑らかに変化していても良い。
【００２５】
内壁部４ｂは、基板４において、外壁部４ａの内側に設けられている。内壁部４ｂは、平面視において、例えば、内側から外側に向かって凸となる複数の凸円弧部４ｃを含んで構成されている。これらの凸円弧部４ｃが、基板４の周方向で連結されることにより、内壁部４ｂが形成される。このような内壁部４ｂは、例えば、花弁等の輪郭を模した装飾模様を形成することができ、プレイ台２の外観性を向上するのに役立つ。
【００２６】
被覆材５は、例えば、外壁部４ａと内壁部４ｂとの間に配された外側部５ａと、内壁部４ｂの内側に配された内側部５ｂとを含んでいる。
【００２７】
図１又は図２に示されるように、本実施形態の外側部５ａは、例えば、人工芝で形成されている。この人工芝は、例えば、芝目、長さ、又は、芝質を異ならせるのが望ましい。このような人工芝は、例えば、プレイ面２Ｓでの球Ｂの転動に変化を与えることができるため、遊技盤１を使用したゲームをより複雑化することができる。また、外側部５ａは、例えば、外壁部４ａと内壁部４ｂとの間に配される砂や水であってもよい。このような外側部５ａは、バンカーや池等を再現することができる。
【００２８】
内側部５ｂは、例えば、複数の内側ブロック体７ａ、及び、内側ブロック体７ａと内壁部４ｂとの間に配された複数の外側ブロック体７ｂを含んで構成されている。本実施形態では、内側ブロック体７ａの上面と、外側ブロック体７ｂの上面と、内壁部４ｂの上端とが、滑らかに連続している。これにより、遊技盤１は、内壁部４ｂの内側において、球Ｂをスムーズに転動させることができる。
【００２９】
本実施形態の各内側ブロック体７ａは、例えば、底部９ｄ、上部９ｕ、及び、底部９ｄと上部９ｕとを連結する側部９ｓを含み、平面視略矩形の箱状に形成されている。本実施形態の内側ブロック体７ａは、内壁部４ｂの内側に、例えば、縦に３列、及び、横に３列に並べて配置されているが、このような態様に限定されるものではない。
【００３０】
本実施形態の内側ブロック体７ａの上部９ｕの上面は、外側部５ａと同様に、人工芝で形成されている。また、上部９ｕの上面には、例えば、球ＢのカップＧ等が形成されてもよい。さらに、上部９ｕの上面には、例えば、プレイ面２Ｓが傾斜していても、球Ｂを安定して保持することができる凹部２７等が設けられてもよい。また、各上部９ｕの上面には、木を模した障害物、景色がプリントされた帯状の装飾物、又は、転動する球Ｂと接して音を発する鈴等の音発生器が設けられても良い。このような障害物、装飾物及び音発生器は、遊技盤１の外観性を向上させるとともに、遊技盤１を使用したゲームをより複雑化することができる。
【００３１】
また、内側ブロック体７ａの上部９ｕは、着脱可能に形成されてもよい。このような内側ブロック体７ａは、上部９ｕを取り外して、底部９ｄと側部９ｓとで形成される空間に、例えば、水や砂が配されることにより、バンカーや池等を再現することができる。
【００３２】
さらに、内側ブロック体７ａは、上記特許文献１に記載されるように、底部９ｄと側部９ｓとで形成される空間に水が配置されるとともに、水に板状の観察面（図示省略）が浮かべられても良い。この観察面は、水に浮かべられることにより、常に水平に維持される。このため、使用者は、観察面を視認することにより、プレイ面２Ｓの傾斜を感覚として把握することができる。
【００３３】
内側ブロック体７ａは、基板４（図３に示す）から着脱可能であるのが望ましい。これにより、本実施形態の遊技盤１では、各内側ブロック体７ａを配置替えすることにより、プレイ面２Ｓのカスタマイズを行うことができる。
【００３４】
本実施形態の各外側ブロック体７ｂは、各内側ブロック体７ａと同様に、底部９ｄ、上部９ｕ及び側部９ｓを含む箱状に形成されている。なお、外側ブロック体７ｂは、製造コストを低減させるために、中実体であってもよい。
【００３５】
各外側ブロック体７ｂは、複数配された内側ブロック体７ａ群の四隅に配置される端側ブロック体８ｂと、端側ブロック体８ｂの間に配置される中央ブロック体８ａとを含んでいる。中央ブロック体８ａは、例えば、内側ブロック体７ａと接する１つの直線部を有する平面視略半円状に形成されている。端側ブロック体８ｂは、内側ブロック体７ａと接する２つの直線部を有する平面視略Ｌ字状に形成されている。これらの中央ブロック体８ａ及び端側ブロック体８ｂは、内側ブロック体７ａと内壁部４ｂとの間に隙間無く配されている。
【００３６】
本実施形態の外側ブロック体７ｂの上部９ｕの上面（中央ブロック体８ａ及び端側ブロック体８ｂを含む）は、内側ブロック体７ａの上面と同様に、人工芝が形成されている。また、上部９ｕの上面には、カップＧや、凹部２７等が設けられてもよい。さらに、上部９ｕには、障害物２９ａ、装飾物２９ｂ又は音発生器（図示省略）が配置されてもよい。障害物２９ａ及び装飾物２９ｂは、例えば、上部９ｕの上面に固着されても良いし、ブロック体７ａ、７ａ間、又は、ブロック体７ａ、７ｂ間に挟まれて保持されてもよい。
【００３７】
さらに、外側ブロック体７ｂの上部９ｕは、内側ブロック体７ａと同様に、底部９ｄ及び側部９ｓから着脱可能に形成されてもよい。このような外側ブロック体７ｂは、バンカー、池又は観察面を再現することができる。
【００３８】
外側ブロック体７ｂも、基板４（図３に示す）から着脱可能であるのが望ましい。これにより、本実施形態の遊技盤１では、内側ブロック体７ａとともに、外側ブロック体７ｂの配置を替えることにより、プレイ面２Ｓをより一層カスタマイズすることができる。
【００３９】
図１又は図３に示されるように、支持部３は、支持部本体３ａと、プレイ台２を三次元に傾斜させるプレイ台傾斜手段１４と、プレイ台２を回転させるプレイ台回転手段１０とを含んでいる。本実施形態のプレイ台２は、プレイ台傾斜手段１４及びプレイ台回転手段１０を介して、支持部本体３ａに支持されている。
【００４０】
本実施形態の支持部本体３ａは、卓上（例えば、テーブルの上）に設置される底部３ｄ、プレイ台回転手段１０が配される上部３ｕ、及び、底部３ｄと上部３ｕとを連結する側部３ｓを含んでいる。これにより、支持部本体３ａは、その内部に空間を有する箱状に形成されている。
【００４１】
本実施形態の底部３ｄは、板状に形成され、その四隅にボルト穴が形成されている。この底部３ｄのボルト穴には、該底部３ｄの上方から螺合される複数のアジャスターボルト２３が設けられる。これらのアジャスターボルト２３は、軸心回りに回転されることにより、底部３ｄから下方への突出長さを異ならせることができる。このような支持部本体３ａによれば、アジャスターボルト２３の突出長さを異ならせることにより、支持部本体３ａを三次元に傾斜させることができる。これにより、支持部本体３ａは、底部３ｄが支持されるテーブル等が傾斜していても、後述するプレイ台傾斜手段１４の板体１５が水平になるように調整することができる。
【００４２】
支持部本体３ａは、側部３ｓの一部が、取り外し可能に形成されるのが望ましい。このような支持部本体３ａは、その内部の空間に、例えば、図２に示した球Ｂ、スティックＲ、内側ブロック体７ａ、又は、外側ブロック体７ｂ等を収納することができる。
【００４３】
プレイ台傾斜手段１４は、板体１５、複数のアジャスターボルト１６、及び、複数の保持部１７を含んで構成されている。
【００４４】
本実施形態の板体１５は、平面視において、プレイ台２の基板４よりも小さい板状に形成されている。この板体１５は、例えば、平面視において、多角形状や円盤状に形成することができ、本実施形態では、略矩形状に形成されている。板体１５は、プレイ台回転手段１０の上端部に支持されている。板体１５には、アジャスターボルト１６が螺合されるボルト穴が設けられている。本実施形態のボルト穴は、例えば、板体１５の四隅にそれぞれ形成されている。
【００４５】
各アジャスターボルト１６は、板体１５のボルト穴に、板体１５の下方から螺合されている。このアジャスターボルト１６は、軸心回りに回転されることにより、板体１５から上方への突出長さを異ならせることができる。
【００４６】
各保持部１７は、各アジャスターボルト１６の上端とプレイ台２の基板４との間に配置されている。各保持部１７は、基板４の下面に固着されている。この保持部１７は、回転されるアジャスターボルト１６の上端を滑らせつつ、プレイ台２の基板４を、アジャスターボルト１６を介して、板体１５に支持させることができる。
【００４７】
このようなプレイ台傾斜手段１４によれば、各アジャスターボルト１６の板体１５からの突出長さをそれぞれ異ならせることにより、プレイ台２を、板体１５に対して三次元に傾斜させることができる。これにより、遊技盤１は、ゴルフ場で遭遇するような傾斜面を、プレイ面２Ｓに再現することができる。
【００４８】
本実施形態のプレイ台回転手段１０は、例えば、軸体１２、軸体１２に対して回転可能に支持された回転体１３、及び、回転体１３と支持部本体３ａの上部３ｕとの間に配置された軸受けＫを含んで構成されている。このプレイ台回転手段１０は、支持部本体３ａに支持されている。
【００４９】
本実施形態の軸体１２は、支持部本体３ａの上部３ｕの下面と、回転体１３の上面との間を垂直方向にのびている。軸体１２の軸心１１は、プレイ面２Ｓと交わっている。なお、軸体１２の軸心１１は、垂直方向にのびるものに限定されない。
【００５０】
軸体１２の上端側には、軸体１２から鍔状にのびるフランジ１８が設けられている。このフランジ１８は、プレイ台傾斜手段１４の板体１５に係合されている。また、軸体１２の下端側には、ねじ溝が設けられている。この軸体１２のねじ溝には、支持部本体３ａの内側からボルト１９が螺合されている。このような軸体１２は、回転体１３を回転可能に支持しつつ、支持部本体３ａ及びプレイ台傾斜手段１４から抜け止めすることができる。
【００５１】
本実施形態の回転体１３は、略円柱状に形成されている。回転体１３の上面は、プレイ台傾斜手段１４の板体１５の下面に一体に固定されている。回転体１３は、支持部本体３ａの上部３ｕの上面に、軸受けＫを介して、軸体１２の軸心回りに回転可能に支持されている。また、回転体１３は、例えば、高さが異なる回転体（図示省略）に適宜交換されてもよい。これにより、回転体１３は、プレイ台２の卓上からの高さを容易に変更しうる。
【００５２】
本実施形態の軸受けＫは、例えば、スラスト軸受けとして構成されている。このような軸受けＫは、回転体１３を支持しつつ、支持部本体３ａに対してスムーズに回転させることができる。
【００５３】
このようなプレイ台回転手段１０は、プレイ台傾斜手段１４を介して、プレイ面２Ｓと交わる軸心１１回りで、プレイ台２を回転させることができる。これにより、本実施形態の遊技盤１は、プレイ台傾斜手段１４によって傾斜したプレイ面２Ｓの向きを容易に変更することができる。従って、本実施形態の遊技盤１では、プレイ面２Ｓを多様に変化させることができる。
【００５４】
このようなプレイ面２Ｓを有する遊技盤１によれば、使用者の経験や記憶に基づいて、球Ｂへの打撃力や打撃方向を決定するのがより一層難しくなる。従って、本実施形態の遊技盤１では、遊技盤１を使用したゲームをより複雑化することができるため、使用者の頭の体操に役立つ。
【００５５】
また、プレイ台２を囲んで複数の使用者でプレイする場合には、プレイ台２を回転させることにより、各使用者が移動することなく、球Ｂを打つことができる。従って、プレイ台回転手段１０は、ゲームの進行を円滑に行うのに役立つ。
【００５６】
ところで、支持部本体３ａが支持されるテーブル等の傾斜により、プレイ台傾斜手段１４の板体１５が傾斜すると、プレイ台２の周囲の各使用者において、プレイ面２Ｓの傾斜角度がそれぞれ異なってしまう。上述したように、本実施形態では、支持部本体３ａのアジャスターボルト２３により、プレイ台傾斜手段１４の板体１５が常に水平になるように調整することができる。これにより、プレイ台２の周囲の各使用者は、テーブル等が傾斜していても、プレイ面２Ｓの同一の傾斜角度で、球Ｂを打つことができる。
【００５７】
図４には、本発明の第２実施形態の遊技盤１の斜視図が示されている。第２実施形態での説明において、第１実施形態で説明された構成と同一のものについては、同じ符号が用いられ、ここでの説明は省略される。
【００５８】
第２実施形態の遊技盤１は、プレイ台２の外側で支持される打撃台２０が設けられている。この打撃台２０には、使用者がプレイ面２Ｓに向かって球Ｂを打つための打撃面２０Ｓが設けられている。
【００５９】
打撃台２０は、支持板２１と、支持板２１の上面を被覆する被覆材２２とを含んで構成されている。また、本実施形態の打撃台２０は、支持部３に支持される打撃台支持手段２４によって支持されている。
【００６０】
図５には、図４の打撃台２０付近が拡大された斜視図が示されている。図４及び図５に示されるように、本実施形態の支持板２１は、平面視略矩形の板状に形成されている。また、被覆材２２は、例えば、人工芝で形成され、支持板２１に固着されている。この被覆材２２の上面に、打撃面２０Ｓが形成されている。人工芝の芝目、長さ又は芝質は、それぞれ均一であっても、異ならせても良い。なお、被覆材２２には、例えば、打撃台２０が傾斜しても、球Ｂを安定して保持することができる凹部２７が設けられるのが望ましい。この凹部２７は、該凹部２７に保持された球ＢがスティックＲで打たれることにより、球Ｂの跳ね上がりを良くすることができる。
【００６１】
図４に示されるように、打撃台支持手段２４は、例えば、支持部３に支持される案内レール２５、及び、案内レール２５と打撃台２０との間に配置される支持体２６を含んで構成されている。
【００６２】
案内レール２５は、例えば、支持部３に支持される回転基部２５Ａと、回転基部２５Ａの一端に取り付けられるレール部２５Ｂとを含んでいる。
【００６３】
図６には、図４のＣ−Ｃ断面の支持部本体３ａ付近が拡大された断面図が示されている。図７には、支持部本体３ａ付近の一部が拡大された斜視図が示されている。図６及び図７に示されるように、案内レール２５の回転基部２５Ａは、支持部３の支持部本体３ａの上部３ｕに沿ってのびる板状に形成されている。
【００６４】
回転基部２５Ａには、プレイ台回転手段１０の回転体１３を上下に貫通させる孔部２５ｂが形成されている。本実施形態の孔部２５ｂは、回転基部２５Ａの長手方向にのびる楕円状に形成されている。孔部２５ｂの最も小さい幅は、回転体１３の直径よりも大に設定されている。
【００６５】
回転基部２５Ａは、支持部３において、プレイ台回転手段１０の軸受けＫの外側に配置された軸受けＬに支持されている。軸受けＬは、軸受けＫと同様に、例えば、スラスト軸受けとして構成される。この軸受けＬは、軸受けＫとは独立して回転しうるものである。このような軸受けＬは、打撃台支持手段２４（回転基部２５Ａ）を介して、打撃台２０をプレイ面２Ｓとは独立して回転させることができる打撃台回転手段４５として構成される。
【００６６】
この打撃台回転手段４５により、使用者は、プレイ台２の外側の任意位置に配置された打撃面２０Ｓから、プレイ面２Ｓに向かって球Ｂを打つことができるため、遊技盤１を使用したゲームをより複雑化することができる。
【００６７】
本実施形態の軸受けＬは、軸受けＫの軸心と同一の軸心回りで回転可能に支持されている。このため、打撃台回転手段４５は、軸受けＬに支持される打撃台２０を、軸受けＫに支持されるプレイ台２と同一の軸心回りで回転させることができる。これにより、この実施形態の遊技盤１では、打撃台２０を回転させることにより、プレイ台２の周囲の各使用者は、その場から移動することなく、打撃面２０Ｓからプレイ面２Ｓに向かって球Ｂを打つことができる。
【００６８】
また、回転基部２５Ａには、回転基部２５Ａから立ち上がる壁部２５ｃが形成されている。壁部２５ｃの一方の面は、孔部２５ｂの縁に沿って設けられている。本実施形態の壁部２５ｃは、孔部２５ｂにおいて、打撃台２０とは反対側の縁に設けられている。
【００６９】
上述したように、孔部２５ｂは、回転基部２５Ａの長手方向にのびる楕円状に形成されているため、回転基部２５Ａを、孔部２５ｂの長手方向に沿ってスライド移動させることができる。この回転基部２５Ａのスライド移動により、壁部２５ｃとプレイ台回転手段１０の回転体１３とを当接又は離間させることができる。
【００７０】
壁部２５ｃと回転体１３とが当接している状態では、壁部２５ｃと回転体１３との間の摩擦によって、打撃台２０の回転により、プレイ台２を同時に回転させることができる。このように、打撃台２０とプレイ台２を同時に回転させることができるため、プレイ台２の周囲の各使用者は、その場から移動することなく、プレイ面２Ｓに対して、同一方向の打撃面２０Ｓから球Ｂを打つことができる。
【００７１】
一方、壁部２５ｃと回転体１３とが離間している状態では、回転体１３と回転基部２５Ａとの間の摩擦がゼロ又は非常に小さくなる。このため、打撃台２０は、プレイ台２を回転させることなく、独立して回転することができる。これにより、遊技盤１を使用したゲームをより複雑化することができる。
【００７２】
図４及び図５に示されるように、レール部２５Ｂは、回転基部２５Ａを介して支持部３からプレイ台２の外側に向かってのびている。本実施形態のレール部２５Ｂは、複数のレール片２５Ｂａから構成されている。これらのレール片２５Ｂａが互いに連結されることにより、レール部２５Ｂが構成される。
【００７３】
各レール片２５Ｂａは、平面視略矩形状に形成されている。各レール片２５Ｂａの打撃台２０側の端部には、レール部２５Ｂの長手方向に沿ってのびる溝２５ａが形成されている。溝２５ａは、レール片２５Ｂａを上下に貫通している。
【００７４】
レール片２５Ｂａは、レール部２５Ｂの長手方向で隣り合うレール片２５Ｂａの一部と重ねられる。そして、レール片２５Ｂａの溝２５ａと、隣り合うレール片２５Ｂａの溝２５ａとを貫通するアジャスターボルト２５Ｃが配される。これにより、レール片２５Ｂａ、２５Ｂａが固着される。
【００７５】
このようなレール部２５Ｂは、アジャスターボルト２５Ｃを緩めることにより、レール片２５Ｂａ、２５Ｂａ間で屈曲させることができるため、コンパクトに折り畳むことができる。また、レール部２５Ｂの長手方向で隣り合うアジャスターボルト２５Ｃ、２５Ｃ間の距離を小さくすることにより、レール部２５Ｂの長さを短くすることができる。
【００７６】
図８には、図４のＣ−Ｃ断面の打撃台２０付近が拡大された側面図が示されている。図５又は図８に示されるように、支持体２６は、例えば、軸体２６ａ、軸体２６ａの下端側に螺合された上下一対のナット２６ｂ、２６ｂ、及び、軸体２６ａと打撃台２０とを固定する取付部２６ｄを含んで構成されている。
【００７７】
軸体２６ａは、例えば、レール片２５Ｂａの溝２５ａを貫通して上下にのびる長尺部６１と、長尺部６１の上端で直角に屈曲された短尺部６２とを含み、略Ｌ字状に形成されている。また、軸体２６ａの側面には、ねじ溝が設けられている。
【００７８】
本実施形態の長尺部６１は、その軸心３１が、打撃面２０Ｓと交わっている。また、長尺部６１は、レール片２５Ｂａの溝２５ａを貫通して配置され、ナット２６ｂ、２６ｂでレール片２５Ｂａに保持される。これにより、長尺部６１は、レール部２５Ｂに固定されている。
【００７９】
このような支持体２６の長尺部６１は、ナット２６ｂが緩められることにより、打撃台２０をレール部２５Ｂの溝２５ａに沿って移動させることができる。これにより、打撃台支持手段２４は、打撃台２０をプレイ台２に接近又は離間可能に支持することができるため、遊技盤１を使用したゲームをより複雑化することができる。
【００８０】
また、支持体２６の長尺部６１は、ナット２６ｂを緩めて上下動されることにより、打撃台２０を昇降させることができる。従って、本実施形態の打撃台支持手段２４には、打撃台２０を昇降させる昇降手段２８が設けられる。このような昇降手段２８は、例えば、打撃台２０の高さを容易に変更できるため、遊技盤１を使用したゲームをより複雑化することができる。
【００８１】
さらに、支持体２６の長尺部６１は、ナット２６ｂを緩めることにより、長尺部６１の軸心３１回りで回転することができる。この長尺部６１の回転により、打撃台２０を回動させることができる。従って、本実施形態の打撃台支持手段２４には、打撃面２０Ｓと交わる軸心３１回りで、打撃面２０Ｓを回動させる回動手段３０が設けられる。このような回動手段３０は、例えば、プレイ台２に対する打撃面２０Ｓの向きを容易に変更できるため、遊技盤１を使用したゲームをより複雑化することができる。
【００８２】
図９（Ａ）は、打撃台２０を拡大して示す正面図である。図９（Ｂ）は、打撃台２０を拡大して示す側面図である。図８、図９（Ａ）又は図９（Ｂ）に示されるように、取付部２６ｄは、打撃台２０の支持板２１の下面から垂下する一対の板体３８、３８、一対の板体３８、３８間に配されるブロック体３５、及び、板体３８とブロック体３５とを接続する連結軸３６とを含んで構成されている。
【００８３】
ブロック体３５は、例えば、正面視略矩形のブロック状に形成されている。ブロック体３５には、軸体２６ａの短尺部６２が挿入される孔部が設けられている。このようなブロック体３５は、軸体２６ａの短尺部６２を挿入させて、短尺部６２の先端にナット２６ｃが螺合されることにより、軸体２６ａに固定される。
【００８４】
ブロック体３５は、短尺部６２が挿入される孔部と直交する方向にのび、かつ、連結軸３６が挿入される孔部が設けられている。各板体３８、３８には、連結軸３６が厚さ方向に挿入される孔部が形成されている。連結軸３６の側面には、ねじ溝が設けられている。
【００８５】
このような取付部２６ｄは、ブロック体３５の孔部、及び、各板体３８、３８の孔部に、連結軸３６が挿入されて、一対のナット３９、３９が螺合されることにより、ブロック体３５と各板体３８、３８とを固定することができる。このように、取付部２６ｄは、一対の板体３８、３８、ブロック体３５及び連結軸３６を介して、軸体２６ａと打撃台２０とを固定することができる。
【００８６】
図９（Ａ）に示されるように、取付部２６ｄは、ナット２６ｃを緩めることにより、一対の板体３８、３８、及び、ブロック体３５を、短尺部６２の軸心３４の回りで回動させることができる。この一対の板体３８、３８、及び、ブロック体３５の回動により、打撃台２０を、軸心３４の回りで傾斜させることができる。
【００８７】
図９（Ｂ）に示されるように、取付部２６ｄは、ナット３９を緩めることにより、ブロック体３５に対して、一対の板体３８、３８を連結軸３６の軸心３７の回りで回動させることができる。この一対の板体３８、３８の回動により、打撃台２０を、軸心３７の回りで傾斜させることができる。
【００８８】
従って、本実施形態の取付部２６ｄは、打撃台２０をプレイ台２とは独立して傾斜させる打撃台傾斜手段３３として構成される。このような打撃台傾斜手段３３によれば、例えば、打撃台２０を三次元に傾斜させることができるため、遊技盤１を使用したゲームをより複雑化することができる。
【００８９】
支持体２６には、打撃面２０Ｓの傾斜を、使用者に視認させることができる傾斜確認手段４１が設けられてもよい。本実施形態の傾斜確認手段４１は、軸体２６ａの長尺部６１に支持される板状の支持部材４３と、支持部材４３から上方にのびる一対のポール４２、４２とを含んで構成されている。一対のポール４２、４２は、打撃台２０の両側で、打撃面２０Ｓを横切ってのびている。また、一対のポール４２、４２は、長尺部６１の軸心３１と平行にのびている。
【００９０】
このような傾斜確認手段４１により、使用者は、一対のポール４２、４２に対する打撃面２０Ｓの傾斜を、容易に視認することができるため、球Ｂへの打撃力や打撃方向を決定するための目安にすることができる。また、各ポール４２、４２は、長手方向に隔設される目盛りが設けられるのが望ましい。このような目盛りは、打撃面２０Ｓの傾斜をより正確に視認するのに役立つ。
【００９１】
図４又は図６に示されるように、本実施形態の遊技盤１は、プレイ台２の外側に隣接するバックネット４６と、バックネット４６を支持するネット支持手段４７とを含んで構成されている。
【００９２】
バックネット４６は、プレイ面２Ｓよりも上方にのびる複数の支柱４６ａと、支柱４６ａ、４６ａを跨って配されたネット４６ｂとを含んでいる。このようなバックネット４６は、打撃面２０Ｓから打たれた球Ｂがプレイ面２Ｓを越えたとしても、球Ｂがプレイ台２からの落下するのを抑制しうる。なお、支柱４６ａの高さは、少なくとも打撃面２０Ｓの最大高さよりも大きいのが望ましい。これにより、バックネット４６は、球Ｂがプレイ台２から落下するのをより効果的に抑制しうる。
【００９３】
ネット支持手段４７は、複数の支柱４６ａを支持する支持部本体４８、及び、支持部本体４８と回転基部２５Ａとを連結する連結部４９を含んでいる。
【００９４】
支持部本体４８は、プレイ台２の外壁部４ａに沿ってのび、平面視略円弧状に形成されている。バックネット４６の支柱４６ａは、支持部本体４８の長手方向に沿って隔設されている。
【００９５】
連結部４９は、その両端に孔部を有するロッド４９ａとして形成されている。本実施形態の連結部４９の一端は、打撃台支持手段２４の回転基部２５Ａに、軸体５０を介して、水平軸回りに回動可能に連結されている。また、連結部４９の他端は、ネット支持手段４７の支持部本体４８に、軸体５１を介して、水平軸回りに回動可能に連結されている。なお、連結部４９は、各軸体５０、５１に螺合されるボルト（図示省略）によって、その回動が阻止されている。
【００９６】
このようなネット支持手段４７は、バックネット４６を、回転基部２５Ａを介して支持部３に支持させることができる。ネット支持手段４７は、軸体５０のボルトが緩められることによって、連結部４９を、軸体５０の軸心回りに回動させることができる。さらに、ネット支持手段４７は、軸体５１のボルトが緩められることによって、バックネット４６を、軸体５１の軸心回りに回動させることができる。これにより、ネット支持手段４７は、連結部４９の他端を、回転基部２５Ａよりも下方に配置することができるため、バックネット４６の高さを低くすることができる。従って、ネット支持手段４７は、遊技盤１の移動や収納に役立つ。
【００９７】
ネット支持手段４７の連結部４９は、プレイ台２を介して打撃台２０とは反対側に配置されるのが望ましい。これにより、ネット支持手段４７は、打撃台２０からプレイ台２に向かってのびる延長線上に、バックネット４６を配置することができるため、打撃面２０Ｓから打たれた球Ｂが、プレイ台２から落下するのを効果的に防ぐことができる。
【００９８】
さらに、ネット支持手段４７は、連結部４９を介して回転基部２５Ａに連結されるため、打撃台２０の回転とともに、プレイ台２と同一の軸心回りで回転することができる。このため、ネット支持手段４７は、打撃台２０からプレイ台２に向かってのびる延長線上に、バックネット４６を常に配置することができる。従って、本実施形態の遊技盤１は、球Ｂがプレイ台２から落下するのをより効果的に防ぐことができる。
【００９９】
本実施形態の遊技盤１は、使用者が視認可能な観察部５５と、観察部５５を垂直に維持する垂直維持具５６とを具えている。
【０１００】
観察部５５は、紐体５５ａにより形成されている。この紐体５５ａの一端は、バックネット４６の支柱４６ａの上端に固定されている。
【０１０１】
本実施形態の垂直維持具５６は、紐体５５ａの他端に連結された錘５６ｂによって構成されている。この錘５６ｂは、バックネット４６のネット４６ｂの上端と下端との間で、浮いた状態で配置されている。このような垂直維持具５６は、錘５６ｂの重力により、観察部５５の紐体５５ａを常に垂直に維持することができる。このため、使用者は、観察部５５を視認することにより、プレイ面２Ｓの傾斜を感覚として把握することができる。
【０１０２】
本実施形態では、打撃台２０からプレイ台２に向かってのびる延長線上に、バックネット４６が配置される。このため、観察部５５も、打撃台２０からプレイ台２に向かってのびる延長線上に配置されている。従って、使用者は、打撃面２０Ｓの正面で、観察部５５を目視しながら、打撃台２０の球Ｂを打つことができる。
【０１０３】
観察部５５は、バックネット４６を介して、打撃台２０の回転とともに、プレイ台２と同一の軸心回りで回転することができる。このため、観察部５５は、打撃台２０からプレイ台２に向かってのびる延長線上に常に配置される。従って、プレイ台２の周囲の各使用者は、打撃面２０Ｓの正面で、観察部５５を常に目視しながら、打撃台２０の球Ｂを打つことができる。
【０１０４】
図１０には、本発明の第３実施形態の遊技盤１の斜視図が示されている。図１１には、図１０のＣ−Ｃ断面図が示されている。第３実施形態において、第１実施形態及び第２実施形態で説明された構成と同じものについては、同じ符号が用いられ、ここでの説明は省略される。
【０１０５】
図１０又は図１１に示されるように、第３実施形態の遊技盤１では、基板４の下面に取り付けられる打撃台支持手段５７を介して、打撃台２０が支持されている。
【０１０６】
打撃台支持手段５７は、被摺動部５８、被摺動部５８に沿ってスライド可能な引き出し部５９、及び、引き出し部５９と打撃台２０との間に配置される支持体２６とを含んで構成されている。
【０１０７】
被摺動部５８は、基板４の下面から下方へのびる一対の縦フレーム５８ａ、５８ａと、一対の縦フレーム５８ａ、５８ａの下端を継ぐ横フレーム５８ｂとを含んで構成されている。
【０１０８】
この実施形態の引き出し部５９は、板状に形成されている。引き出し部５９の一端側は、支持体２６が固着される。引き出し部５９の他端側は、一対の縦フレーム５８ａ、５８ａと横フレーム５８ｂとで囲まれる空間内に配置され、被摺動部５８にスライド可能に支持される。このような引き出し部５９は、被摺動部５８からスライド移動させることにより、打撃台２０を、プレイ台２に対し接近又は離間させることができる。
【０１０９】
この実施形態の遊技盤１では、ネット支持手段４７が、打撃台２０とは反対の外壁部４ａに固着されている。これにより、ネット支持手段４７は、打撃台２０からプレイ台２に向かってのびる延長線上に、バックネット４６を配置することができるため、球Ｂがプレイ台２から落下するのをより効果的に抑制しうる。
【０１１０】
また、ネット支持手段４７は、外壁部４ａから取り外し可能に固定されるのが望ましい。これにより、ネット支持手段４７及びバックネット４６を、外壁部４ａから取り外すことができるため、遊技盤１をコンパクトに収納することができる。
【０１１１】
以上、本発明の特に好ましい実施形態について詳述したが、上述の遊技盤１の具体的な構成、特にプレイ台２の具体的な構成は、あくまで一例であって、種々の態様に変更して本発明の作用を実現しうるのは言うまでもない。例えば、本発明の遊技盤１は、支持部３を地面に設置して、かつ、プレイ台２を使用者が歩行可能に形成されても良い。このような遊技盤１は、ゴルフ練習用に用いることができる。
【０１１２】
また、回転体１３は、支持部本体３ａの上部３ｕとの摩擦が小さい場合、軸受けＫ（図３及び図６に示す）を介さなくても、上部３ｕに対して回転することができる。さらに、回転基部２５Ａは、支持部本体３ａの上部３ｕとの摩擦が小さい場合、軸受けＬ（図６に示す）を介さなくても、上部３ｕに対して回転することができる。このような場合には、軸受けＫ及び軸受けＬを省略することができるため、遊技盤１の構造をより簡素化することができる。
【０１１３】
図３及び図６に示されるように、本実施形態のプレイ台回転手段１０は、回転体１３を含むものが例示されたが、該回転体１３を省略してもよい。これにより、遊技盤１の構造をさらに簡素化することができる。
【符号の説明】
【０１１４】
１    遊技盤
２    プレイ台
３    支持部
１０    プレイ台回転手段
１１    軸心
１４    プレイ台傾斜手段
Ｂ    球
【要約】
【課題】プレイ台を多様に変化させることができる遊技盤を提供する。
【解決手段】球Ｂが転動可能なプレイ台２と、プレイ台２を支持する支持部３とを具えた遊技盤１であって、支持部３は、プレイ台２を三次元に傾斜させるプレイ台傾斜手段１４と、プレイ台２と交わる軸心１１回りで、プレイ台２を回転させるプレイ台回転手段１０とを具える。このような遊技盤１は、プレイ台２を三次元に傾斜させるとともに軸心１１回りで回転でき、プレイ台２をより一層変化させることができる。
【選択図】図３【図１】
0005613344.tif 000002
【図２】
0005613344.tif 000003
【図３】
0005613344.tif 000004
【図４】
0005613344.tif 000005
【図５】
0005613344.tif 000006
【図６】
0005613344.tif 000007
【図７】
0005613344.tif 000008
【図８】
0005613344.tif 000009
【図９】
0005613344.tif 000010
【図１０】
0005613344.tif 000011
【図１１】
0005613344.tif 000012